【事件の表示】
　平成　２年特許願第１９５９８３号「ブック原稿の読み取り装置」拒絶査定に対する審判事件［平成　４年　３月１３日出願公開、特開平　４−　８１１６２］について、次のとおり審決する。
【結　論】
　本件審判の請求は、成り立たない。
【理　由】
１．手続の経緯・本願発明
　本願は、平成２年７月２３日の出願であって、その請求項１に係る発明は、平成９年７月２３日、平成１２年２月７日、および平成１４年１２月１６日付けの手続補正書により補正された明細書及び図面の記載からみて、本願の特許請求の範囲の請求項１に記載されたとおりの次のものと認める。
「【請求項１】　
　ブック原稿を見開いて載置する原稿台と、
　上記原稿台への上記ブック原稿の載置位置を中央基準とするための中央基準位置決め部と、
　上記原稿台に見開いて載置された上記ブック原稿上を移動し同ブック原稿の原稿情報を読み取る読み取り手段とを有するブック原稿読み取り装置において、
　上記読み取り手段の移動によるプレスキャンによって、上記読み取り手段の移動方向における上記ブック原稿の端部の位置を検出する検出手段と、
　上記検出手段により検出された上記位置に基づいて上記読み取り手段の移動範囲を制御するための制御手段とを有することを特徴とするブック原稿の読み取り装置。」
　
２．引用例
（１）引用例１
　これに対して、原審の拒絶理由に引用された、実願昭６１−１３５４８１号（実開昭６３−４１５８８号）の願書に添付された明細書および図面の内容を撮影したマイクロフィルム（以下、「引用例１」と言う。）には、次の事項が記載されている。
　（ア）「書籍を見開き状態にして、その最上層のページを吸着するバキューム式ハンドラと、前記吸着されたページの自由端を前記書籍の見開き面から引き離す方向に、前記ハンドラを駆動し、かつそのハンドラを前記ページを改ページする方向に移動させる駆動部と、前記ハンドラと一体的に移動し、前記吸着されたページの自由端近傍に接触する紙押さえとを有することを特徴とする書籍の改ページ装置。」（引用例１の１頁５〜１３行）
　（イ）「［産業上の利用分野］
　本考案は、複写装置等において、製本された書籍を自動的に改ページしながら複写する際に使用される書籍の改ページ装置に関する。」（引用例１の１頁１５〜１８行）
　（ウ）「［実施例］
　第１図は、本考案の書籍の改ページ装置の実施例を示す要部斜視図である。
　この装置は、テーブル１上に書籍２を見開き状態にして、その上方に改ページ装置３と、イメージセンサ４（一次元画像読取装置）とを配置したものである。
　改ページ装置３とイメージセンサ４とは、書籍２の見開き面に平行に図の矢印６方向に往復運動するよう、ガイドレール７上に載置されている。
　改ページ装置３は、ガードレール７上を走行するガイド輪８を両端に固定したブリッジ９と、そのブリッジ９を上下方向に貫通する一対のバキューム式ハンドラ１０を備えている。バキューム式ハンドラ１０の軸部の上端には、バキュームポンプ１１と連結するチューブ１２の一端が接続されている。」（引用例１の４頁９行〜５頁５行）
　（エ）「こうして改ページが完了した後、イメージセンサ４が水平駆動されて矢印６ａ方向に駆動されて、書籍の読み取りを行う。読み取れられた画像信号は、一定の処理が加えられた後、記録装置等において記録用紙への記録に使用される。」（引用例１の８頁３〜７行）
　（オ）第１図には本考案の書籍の改ページ装置の実施例を示す要部斜視図が、第３図にはその動作説明図が示されている。
　これらの記載より引用例１には次のことが記載されている。
「複写装置等において、製本された書籍２を見開き状態にして載置するデーブル１と、
　見開き状態の書籍２の綴じ部を、はめ込んで保持するテーブル１に設けられた溝部と、
　見開き状態の書籍２の上方に配置された改ページ装置３と、イメージセンサ４（一次元画像読取装置）とが設けられ、
  改ページ装置３とイメージセンサ４とは、書籍２の見開き面に平行に往復運動するよう、ガイドレール７上に載置され、改ページ装置３により改ページが完了した後、イメージセンサ４が水平駆動されて、書籍の読み取りを行うことを特徴とする装置。」
　
３．周知例
（１）周知例１　特開昭６１−１３７４６２号公報
　「〔従来技術〕
　一般にディジタル複写機等の記録装置では所望とする原稿を読取るにあたり、当該原稿の位置、濃度等に関する情報を検出するために露光走査系（スキャナー）の１回目スキャンを行い該スキャンにより検出された前記情報にもとづき前記露光走査系の２回目のスキャンを行い前記原稿を読取るようないわゆるプレスキャン方式による原稿読取方式が採用されている。
　このような原稿読取方式は上述した原稿の位置または濃度情報に応じて画情報の余白部分の読取りをスキップさせ読取速度を上げたりあるいはまた画信号の検出レベルを適宜可変設定することにより記録画像のコントラストを調整する等の制御を行うことができ上述した記録装置の多様化、記録性能向上にとって極めて有用なものである。」（周知例１の１頁下右欄５行〜２頁上左欄１行）
　「原稿の位置情報にもとづいた処理をなすことにより例えば当該原稿２の余白部分の読取りをスキップさせその読取り時間を短縮する等の制御も行なうことができるのは勿論である。」（周知例１の２頁下右欄２０行〜３頁上左欄３行）　
（２）周知例２　実願昭６３−６８１５６号（実開平１−１７２７７２号）の願書に添付された明細書および図面の内容を撮影したマイクロフィルム
　「２．実用新案登録請求の範囲
　画像読み取り部をプリスキャンして原稿サイズを検出する画像形成装置において、
　原稿の読み取り開始点の反対側にホームポジションが設定された画像読み取り部と、
　該画像読み取り部を前記ホームポジションから読み取り開始点に移動させるときに原稿サイズを検出する検出手段と
　を具えたことを特徴とする画像形成装置。」（周知例２の１頁４〜１２行）
　「まず原稿５のサイズを調べるためのプリスキャン（図中１）を最大スキャン長について行い、セットされた原稿５のサイズを検出し、次に、原稿面の画情報の読み取りのためのスキャン（図中２）を行ない、画情報を一旦蓄積する。」（周知例２の３頁１〜６行）
　「次に、画像読み取り部１を右端に移動させて原稿のサイズの検出を行なう。原稿読み取り部１の移動にともない、・・・（中略）・・・、画像読み取りユニット３が画情報の読み取りを開始した時からスキャンラインセンサ７がＯＮ信号を出力するまでの期間ｌを算出し、セットされた原稿５の大きさを読み取る。」（周知例２の６頁４〜１７行）
（３）周知例３　特開昭６０−４６５４６号公報
　「原稿載置部材と、上記原稿載置部材上に置かれた原稿の位置又は大きさを認識する手段と、上記原稿の濃度を認識する手段とを有し、上記原稿位置と上記原稿濃度を同一の光電変換手段より行うことを特徴とする像形成装置。」（周知例３の１頁下左欄５〜９行）
　「次に原稿のセット状態の検知について説明する。第７図は原稿のセット状態の検出の説明図で、例えば第７図に示す様な斜めにセットされた状態の例について述べる。Ｓは原稿である。プリスキャンによる読み取り走査は原稿の角部、Ｐ１，Ｐ２，Ｐ３を読み取っておなう。」（周知例３の３頁上左欄１９行〜同頁上右欄４行）
　「次に原稿エッジの検出方法について説明する。・・・（中略）・・・第７図のように斜めに置かれていた場合、Ｐ２点が最初に検出される。さらに時間の経過と共にＹ方向の仮想直線の基準ビットとの関係から、Ｐ１点が検出されてその斜行の角度が検出される。先に述べた様にこの判別は原稿カバーの反射率と原稿反射をＡ／Ｄ変換してその濃度比のちがいによって検出を行う。」（周知例３の３頁下右欄５行〜４頁上左欄８行）
　「次に原稿の種類の判別、即ちシート物、ブック物の判別について説明する。・・・（中略）・・・この検出方法は、原稿の厚みを検出するものであるから、光を斜めから照射した時、厚みのある部分には影が生じる。この影の厚みに応じたある階調をもつた陰影となって現れるから、明らかに原稿の画像とは異なるパターンを描くから、容易に判別可能となる。」（周知例３の４頁上左欄９行〜同頁上左欄２行）
　「このパターン認識のための光学系のプリスキャンは用紙の給紙に先だって行なわれ、・・・（中略）・・・原稿パターン認識によってシート物、ブック物の検知が行なわれて、その位置情報、濃度情報が入力され、露光ランプ、現像バイアス電源の値がセットされる。・・・（中略）・・・原稿サイズに応じて、ショートスキャン、フルサイズスキャンと適宜、パルスモータによって光学ユニットのスキャンが行われる。」（周知例３の５頁上右欄３行〜同頁下左欄６行）
（４）周知例４　特開昭６３−１９６１６７号公報
　「原稿画像を読み取り画像信号として出力する原稿読み取り装置において、原稿の水平方向及び垂直方向の最大長さを検出した後に、その範囲内で逐次原稿を検知して原稿の範囲内のみ画像信号を出力することを特徴とする原稿読み取り装置。」（周知例４の１頁下左欄５〜９行）
　「１回目の光学系往復により（以下認識スキャンという）（ｘ１，ｙ１）から（ｘ４，ｙ４）までの各点が認識されると、その座標情報はＣＰＵ３１０に知らされる。この認識スキャンでは、画像信号はプリンタ等の外部装置へは出力されない。そして、続いて２回目のスキャン（本スキャンと呼ぶ）を行う。」（周知例４の２頁下右欄７〜１２行）
　「以上説明したように、原稿読み取り装置において、水平方向及び垂直方向の最大長を検出した後にその範囲内で逐次原稿を検知して、原稿の範囲内のみ画像信号を出力する事にした事により、逐次検知でご認識しても最大長との比較により、誤認識を排除することが可能である。」（周知例４の４頁上左欄１５〜２０行）
　
４．対比
　そこで、本願請求項１に係る発明（以下、本願発明という。）と引用例１の発明とを比較すると、
　引用例１の「テーブル」は、本願発明の「原稿台」に相当し、
　引用例１のテーブルに設けられた溝は、引用例１の第１図の図面から、テーブル１の中央に設けられ、本の綴じ部をはめ込んで、本の綴じ部をテーブル１の中央に位置決めをしているものと認められるから、以下の相違点を除いて、中央基準位置決め部に相当、
　引用例１の「イメージセンサ」は、本願発明の「読み取り手段」に相当し、
　引用例１の装置も、製本された書籍を読み取るものであるから、ブック原稿読み取り装置といえるから、
　両者は、
「ブック原稿を見開いて載置する原稿台と、
　上記原稿台への上記ブック原稿の載置位置を決める中央位置決め部と、
　上記原稿台に見開いて載置された上記ブック原稿上を移動し同ブック原稿の原稿情報を読み取る読み取り手段とを有するブック原稿読み取り装置。」
である点で一致し、下記の点において相違する。
　
（相違点）
（相違点１）
　中央位置決め部が、本願発明では、中央基準とするためのものであるのに対して、引用例１では、溝部はテーブルの中央に設けられているだけで、中央基準については触れていない点。
（相違点２）
　本願発明は、読み取り手段の移動によるプレスキャンによって、読み取り手段の移動方向におけるブック原稿の端部の位置を検出する検出手段を設け、該検出手段により検出された位置に基づいて読み取り手段の移動範囲を制御するための制御手段を設けたものであるのに対して、引用例１では、改ページ装置により改ページが完了した後、イメージセンサが水平駆動されて、書籍の読み取りを行うことが記載されているだけである点。
　
５．当審の判断
（相違点１）について
　ブック原稿を読み取る場合の基準位置については、ブック原稿では、ブックのサイズに拘わらず、ブックを開いた状態では、読み取るべき画像は綴じ部を中心に左右に同じ距離の範囲内に広がっているのが普通であり、ブックの綴じ部を中心として、左のページだけを複写したり、右のページだけを複写したり、両ページを複写したりすることは周知のことである。（例えば、原稿台の中心線を本の位置決め用として、左右のページに対して各種の複写を行うものは、原審の拒絶理由通知書の引用文献２．実願昭６１−１８２４６５号（実開昭６３−８７０５５号）の願書に添付された明細書および図面の内容を撮影したマイクロフィルムを参照。　ブック原稿の綴じ部を中心として左右のページに別の制御を行うものは、特開昭６３−４９７４３号公報を参照。）
　このように、ブック原稿の綴じ部を中心として、そこを基準として必要に応じて、ブック原稿の左右ページに別々の操作することは周知のことであるから、引用例１において、溝部を読み取りの中央基準とすることは当業者が容易に推考できることと認められる。
　
（相違点２）について
　原稿を読み取る場合に、プリスキャンをして、原稿の大きさ、原稿の置かれている位置を把握してから、イメージセンサの移動を制御して、原稿の存在するところだけを読み取るようにすることは、上記周知例１〜４で示したように周知慣用技術であるから、引用例１において、プリスキャンにより原稿の端部を検出し、検出された位置に基づいてイメージセンサの移動範囲を制御することは当業者が容易に推考することができることである。
 　したがって、引用例１および周知技術から、引用例１のものにおいて、読み取り手段の移動によるプレスキャンによって、読み取り手段の移動方向におけるブック原稿の端部の位置を検出する検出手段を設け、該検出手段により検出された位置に基づいて読み取り手段の移動範囲を制御するための制御手段を設けることは、当業者が容易に考えられることである。
　
６．むすび
　したがって、本願発明は引用例１に記載された発明、及び周知例に基づいて当業者が容易に発明をすることができたものであるので、特許法第２９条第２項の規定により特許を受けることができない。
　よって、結論のとおり審決する。